(57)【要約】【課題】マウスパッド本体の表面側をマウスパッド、裏面側を鏡として使用できるようにした鏡付きマウスパッドを提供すること。【解決手段】透明材料からなるマウスパッド本体の表面に反射層を形成してマウスパッド本体の裏面を鏡とするとともに、反射層上面に静電植毛層を形成して、当該マウスパッド本体の表面側をマウス操作面とする。【選択図】図１
2010170508.tif 000002
【特許請求の範囲】
【請求項１】
透明材料からなるマウスパッド本体の表面に反射層を形成して前記マウスパッド本体の裏面を鏡とするとともに、前記反射層上面に静電植毛層を形成して、当該マウスパッド本体の表面側をマウス操作面としたことを特徴とする鏡付きマウスパッド。
【請求項２】
透明材料からなるマウスパッド本体の表面に反射層を形成して前記マウスパッド本体の裏面を鏡とするとともに、前記反射層の上に、静電植毛層を上面に形成した面状発熱シートを貼着して、当該マウスパッド本体の表面側をマウス操作面としたことを特徴とする鏡付きマウスパッド。
【請求項３】
少なくともマウスパッド本体の周縁隅部を被覆し、前記マウスパッド本体の裏面より突出する、滑り難い緩衝材からなる被覆体を備えたことを特徴とする請求項１又は２記載の鏡付きマウスパッド。
【請求項４】
前記マウスパッド本体の裏面より突出する、滑り難い緩衝材からなる被覆体に連結された折りたたみ自在の支持枠を備えている請求項３記載の鏡付きマウスパッド。
【発明の詳細な説明】
【技術分野】
【０００１】本発明は、マウスパッドと鏡が表裏一体となった鏡付きマウスパッドに関するものである。
【背景技術】
【０００２】従来、マウスパッドはプラスチック、木、ガラスなど各種材料の表面にマウスのローラーが回転しやすくするための凹凸を付け、または、光学式マウスに対応するために表面の光の反射率を調整すべく、透明素材にあえて色をつけるなどの工夫をしている。【０００３】そのほとんどが片面をマウスパッドとして使用するものであり、その反対面は机の上でマウスパッドを操作する際に滑りにくいなどの特徴はあるものの、マウスパッド以外の用途があるものは少ない。【０００４】しかしながら、マウスパッドの反対面に他に活用できる機能をつけることは可能であり、その場合には多機能なマウスパッドにすることができる。
【先行技術文献】
【特許文献】
【０００５】
【特許文献１】実登３０６４６４２
【発明の概要】
【発明が解決しようとする課題】
【０００６】従来の実登３０６４６４２のマウスパッドは、マウスパッド下部の滑り止めゴム上面に鏡を設け、その上部にマウスパッドの操作面シートを施したもので、鏡を設置した下部のマウスパッドの滑り止めゴムとマウスパッド上端のシートとを接合し、上部のシートを開閉することで鏡としても使用できるようにしたものである。鏡を使用する際にはマウスパッドとして使用するシートを開閉するので、シートをめくる手間がかかり、シート接合部およびシートが傷むという問題があった。【０００７】また、寒い時期にはマウスパッドが冷えているため、マウスを操作する際に手が冷えて操作しづらいという問題があった。【０００８】さらに、鏡として使用する際は、机表面に水平に置かれている鏡を覗き込まなければならず、椅子に座って無理なく顔を見ることが出来ないという問題があった。【０００９】本発明は、このような従来の製品の構成が有していた問題を解決しようとするものであり、従来の特徴である滑り難い緩衝材からなる被覆体を備えることでマウス操作時に机でマウスパッドが滑ることを防止するとともに、マウスパッド本体の周囲をぶつけても割れにくくするという機能は維持しながらも、シート接合部とシートの傷みを解消し、寒い時期にマウスを操作する際に手が冷えることによる操作のしづらさを防止し、鏡として使用する際は、鏡を覗き込まずに椅子に座って無理なく顔を見ることが出来ることを目的とするものである。
【課題を解決するための手段】
【００１０】上記課題を解決するために、透明材料からなるマウスパッド本体の表面に反射層を形成して前記マウスパッド本体の裏面を鏡とするとともに、前記反射層上面に静電植毛層を形成して、当該マウスパッド本体の表面側をマウス操作面とするものである。【００１１】また、透明材料からなるマウスパッド本体の表面に反射層を形成して前記マウスパッド本体の裏面を鏡とするとともに、前記反射層の上に、静電植毛層を上面に形成した面状発熱シートを貼着して、当該マウスパッド本体の表面側をマウス操作面とするものである。【００１２】また、少なくともマウスパッド本体の周縁隅部を被覆し、前記マウスパッド本体の裏面より突出する、滑り難い緩衝材からなる被覆体を備えるものである。【００１３】さらに、前記マウスパッド本体の裏面より突出する、滑り難い緩衝材からなる被覆体に連結された折りたたみ自在の支持枠を備えるものである。
【発明の効果】
【００１４】静電植毛層のマウスパッド面と鏡面が表裏一体なので用途に応じて裏返して使い分けることが出来るため、実登３０６４６４２に使われるシートを備えることがなく、シート及びシート接合部が傷むという問題が解消できる。【００１５】また、マウスパッド本体の表面の反射層の上に、静電植毛層を上面に形成した面状発熱シートを貼着し通電することで、マウスパッドが温まり寒い時期にマウスを操作しても、手が冷えて操作しづらいという問題が解消できる。【００１６】また、マウスパッド本体の周縁隅部を被覆し、裏面より突出する、滑り難い緩衝材からなる被覆体により、マウス操作時にマウスパッドが滑らず、しかも、マウスパッド本体の周囲をぶつけても割れにくい構造となる。【００１７】さらに、マウスパッド本体の裏面より突出する、滑り難い緩衝材からなる被覆体に折りたたみ自在の支持枠が連結されており、マウスパッド本体より支持枠を支持枠固定軸に対して回転させることで鏡を立てかけることが出来るため、鏡として使用する際は、椅子に座って無理なく顔を見ることが出来る。
【図面の簡単な説明】
【００１８】
【図１】  マウスパッド本体の鏡面構成と静電植毛を施した構成を示す側面図
【図２】  同構成を示す図１における分解斜視図
【図３】  周縁隅部に被覆材を取り付けた鏡付きマウスパッドの平面図
【図４】  同構成を示す図３における側面図
【図５】  マウスパッド本体に静電植毛を施した面状発熱シートを貼着した構成と電源との接合を示す側面図
【図６】  同構成を示す図５における分解斜視図
【図７】  マウスパッド本体に静電植毛を施した面状発熱シートを貼着し、周縁部に被覆材を取り付けた平面図
【図８】  同構成を示す図７におけるＡ−Ａ断面図
【図９】  周縁部に被覆材を取り付け、さらに被覆体に折りたたみ自在の支持枠が連結されていることを示す平面図
【図１０】  同折りたたみ自在の支持枠でマウスパッド本体を机に立てかけた状態を示す側面図
【発明を実施するための形態】
【００１９】以下、本発明の実施の形態を説明する。
【００２０】図１、図２に示すように本発明の鏡付きマウスパッドは、以下の（イ）〜（ハ）の工程で製造される。
（イ）透明材料（１）の片面に銀膜（２）、銅膜（３）、エポキシ樹脂（４）の順に積層させてなる反射層（５）が構成される。
（ロ）鏡面（１０）の反対面である反射層（５）に樹脂系の接着剤（６）をハケなどで塗布する。
（ハ）接着剤（６）が乾く前に静電気植毛により静電植毛繊維（７）を接着させる。
【００２１】また、図３、図４に示すように矩形のマウスパッド本体（８）の周縁隅部に、マウスパッド本体の裏面より突出する、滑り難い緩衝材からなる被覆体（１１）を取り付けると、マウスパッドとして使用する際に被覆材（１１）が机に接し、鏡面（１０）は机に接しないため、鏡面（１０）にキズがつくことはない。また、周縁部の一部が被覆材（１１）で覆われているため、マウスパッド本体（８）の外周が衝撃により割れることから守られる。
【００２２】図５、図６に示すように、マウスパッド本体の反射層（５）に静電植毛を施した面状発熱シート（１２）を貼着し、ヒーターにケーブル（１５）を介して面状発熱シートヒーター電源（１６）をつなぎ通電すると、マウスパッドを操作する手が温まり、マウスを操作する際に寒さで操作しづらいということがない。
【００２３】図７、図８に示すようにマウスパッド本体の反射層（５）に接着剤（６）を介して静電植毛繊維（７）を施した面状発熱シート（１２）を貼着し、全周縁にマウスパッド本体の裏面より突出する、滑り難い緩衝材からなる被覆体（１１）を取り付けてもよい。
【００２４】さらに、マウスパッド本体を机に立てかけるためには、図９に示すように鏡として使用する際にマウスパッド本体の周縁隅部の裏面より突出する、滑り難い緩衝材からなる被覆体（１１）に連結した折りたたみ自在の支持枠（１３）を、図１０のように支持枠固定軸（１４）に対して回転させ、マウスパッド本体（８）と被覆体（１１）を支持枠（１３）で机に対して立てかけるようにすれば、椅子に座って無理なく顔を見ることが出来る。
【実施例】
【００２５】＜実施例１＞
鏡（厚さ５ｍｍ）の裏面にエポキシ系接着剤をガン吹きで塗布し、太さ１．７Ｔ（デシテック）のナイロン製有機高分子繊維を静電気植毛で接着後、乾燥した。
静電植毛繊維面をマウスパッドとして使用したところ、ローラー式マウス、光学式マウスとも、パソコン画面上のカーソルの応答は良好であった。
【産業上の利用可能性】
【００２６】マウスパッドと鏡が表裏一体である、鏡付きマウスパッドとして使用できる。
【符号の説明】
【００２７】１      透明材料
２      銀膜
３      銅膜
４      エポキシ樹脂
５      反射層
６      接着剤
７      静電植毛繊維
８      マウスパッド本体
９      マウスパッド面
１０    鏡面
１１    被覆材
１２    面状発熱シート
１３    支持枠
１４    支持枠固定軸
１５    ケーブル
１６    面状発熱シートヒーター電源
【図１】
2010170508.tif 000003
【図２】
2010170508.tif 000004
【図３】
2010170508.tif 000005
【図４】
2010170508.tif 000006
【図５】
2010170508.tif 000007
【図６】
2010170508.tif 000008
【図７】
2010170508.tif 000009
【図８】
2010170508.tif 000010
【図９】
2010170508.tif 000011
【図１０】
2010170508.tif 000012